(57)【特許請求の範囲】
【請求項１】
エレベーターを制御するエレベーター制御装置からエレベーターの運転情報を受け取り、多階床間をサービスする乗りかごの現在階床位置と運転方向とを案内するかご位置表示手段を前記乗りかご内に設けたエレベーターのかご位置表示装置において、
前記現在階床位置と前記運転方向とは前記かご位置表示手段の上下に配置して表示し、前記乗りかごが上昇方向に移動時は、前記運転方向の表示を前記かご位置表示手段の表示エリア上部に配置し、前記現在階床位置の表示を前記かご位置表示手段の表示エリア下部に配置して表示するとともに、前記乗りかごが下降方向に移動時は、前記現在階床位置の表示を前記かご位置表示手段の表示エリア上部に配置し、前記運転方向の表示を前記かご位置表示手段の表示エリア下部に配置して表示するようにし、前記乗りかごの前記運転方向によって前記現在階床位置と前記運転方向の表示位置を入れ換えることを特徴とするエレベーターのかご位置表示装置。
【発明の詳細な説明】
【技術分野】
【０００１】
本発明は、エレベーターの乗りかご内に設置され、乗りかごの現在階床位置及び運転方向を表示するエレベーターのかご位置表示装置に関する。
【背景技術】
【０００２】
エレベーターの乗りかご内に設置するかご位置表示装置にあって、乗りかごの現在階床位置及び運転方向の表示方法として、従来、乗りかごの移動に対して階床番号の色を変化させる第１の領域と、乗りかごの昇降を表す三角形の矢印ランプを第２の領域に設けた乗りかご内の操作盤で、矢印ランプは第１の領域を挟んで上下にあり、上昇時は上のランプが点灯し、下降時は下のランプが点灯するものがある（例えば、特許文献１参照）。
【０００３】
また、液晶画面の対角線上に建物全体の階床範囲を意味する直線状のバーグラフを設け、そのバーグラフ上に乗りかごの現在階床位置と運転方向を表す三角形上のマークをバーグラフの左側に表示するものがある（例えば、特許文献２参照）。
【０００４】
さらに、乗りかごの現在階床位置を表示する階床灯の上に乗りかごの運転方向を示す方向灯を設けたかご操作盤であって、方向灯は移動する上下方向を兼用するものがある（例えば、特許文献３参照）。
【特許文献１】特開昭５９−１１４２８０号公報
【特許文献２】特開平９−７７３９９号公報
【特許文献３】特開２００７−８６１５号公報
【発明の開示】
【発明が解決しようとする課題】
【０００５】
しかしながら、前述した従来のエレベーターのかご位置表示装置では、乗りかごの現在階床位置及び運転方向をエレベーター利用者に情報を判りやすく提供するための工夫がなされているが、視覚から入った情報をより迅速に利用者が把握できるならば、エレベーターの利便性を向上するものとなる。また、スペースの有効利用の観点からかご位置表示装置の表示領域は限られており、この限られた表示領域の中で乗りかごの現在階床位置及び運転方向の表示を判りやすく提供する必要がある。
【０００６】
本発明は、前述した従来技術における実状からなされたもので、その目的は、限られた表示領域で、乗りかごの現在階床位置及び運転方向を明瞭に表示することのできるエレベーターのかご位置表示装置を提供することにある。
【課題を解決するための手段】
【０００７】
前記目的を達成するために、本発明は、エレベーターを制御するエレベーター制御装置からエレベーターの運転情報を受け取り、多階床間をサービスする乗りかごの現在階床位置と運転方向とを案内するかご位置表示手段を前記乗りかご内に設けたエレベーターのかご位置表示装置において、前記現在階床位置と前記運転方向とは前記かご位置表示手段の上下に配置して表示し、前記乗りかごが上昇方向に移動時は、前記運転方向の表示を前記かご位置表示手段の表示エリア上部に配置し、前記現在階床位置の表示を前記かご位置表示手段の表示エリア下部に配置して表示するとともに、前記乗りかごが下降方向に移動時は、前記現在階床位置の表示を前記かご位置表示手段の表示エリア上部に配置し、前記運転方向の表示を前記かご位置表示手段の表示エリア下部に配置して表示するようにし、前記乗りかごの前記運転方向によって前記現在階床位置と前記運転方向の表示位置を入れ換えることを特徴としている。
【０００８】
このように構成した本発明では、乗りかごの現在階床位置と運転方向とを上下に配置して表示し、乗りかごが上昇方向時には運転方向を現在階床位置の上に配置して表示し、下降方向時には運転方向を現在階床位置の下に配置して表示する。このように、現在階床位置及び運転方向の表示位置を乗りかごの動作に合わせて変更することで、表示を利用者が一般的にもつエレベーターの動作イメージに合致したものとし、利用者は視覚から入った情報をより迅速に把握することができる。また、現在階床位置及び運転方向の表示位置を入れ換えることで前記目的を達成するものであることから、必要とする表示領域を従来のものと同等以下に抑えることができる。
【発明の効果】
【０００９】
本発明によれば、視覚から入った情報をより迅速に利用者が把握することができ、エレベーターの利便性の向上を図ることができる。
【発明を実施するための最良の形態】
【００１０】
以下、本発明に係るエレベーターのかご位置表示装置の実施の形態を図に基づいて説明する。
【００１１】
図１は本発明の一実施形態を示すエレベーターの全体構成図である。図１において、１はエレベーター制御装置、２は群管理制御手段、３１〜３３はエレベーター１〜３号機の号機制御手段である。４１〜４３は１〜３号機のエレベーター乗りかごである。５１〜５３は行先階登録釦、６１〜６３はかご位置表示手段である。８１、８２は各階床乗場の各号機共通の乗場呼び釦、９１〜９６はそれぞれエレベーター１〜３号機の乗場に設けられ、サービスエレベータを案内するためのホールランタン（予約灯とも呼ぶ）である。
【００１２】
図１に示す実施形態にあって、エレベーター機械室にあるエレベーター制御装置１は群管理制御手段２と複数の号機制御手段３１〜３３から構成されている。エレベーターの乗りかごについて、乗りかご４１を例にとって説明すれば、行先階登録釦５１が設けられており、行先階登録釦５１の信号は号機制御手段３１へ入力される。各階の乗場、例えば１階乗場には乗場呼び釦８１が設けられており、これらは群管理制御手段２から直接に信号の入力(又は出力)を行う。乗りかご４１内に設置のかご位置表示手段６１も群管理制御手段２から直接、信号を入力している。他の乗場案内装置であるホールランタン９１、９４は、号機制御手段３１を介して群管理制御手段２との間で信号を入出力する構成としている。なお、同一階に車いす専用乗場呼びや台車利用乗場呼び、地下駐車場専用乗場呼びを設置する場合もある。
【００１３】
群管理制御手段２は、乗場呼び釦８１、８２からの信号、各号機制御手段３１〜３３から通信で送られてくる乗りかご４１〜４３の位置、方向、かご呼びの状況、かご内の混雑度信号などを加味して新たに発生した乗場呼びに対してエレベーター中の１台のいずれかの乗りかごに割当て、該当する号機制御手段３１〜３３に割当信号を送出する。号機制御手段３１〜３３はエレベーターの走行制御、戸開閉制御等の号機に独立した制御を行い群管理制御手段２へ出力する。また、群管理制御手段２からの割当信号によりホールランタン９１〜９３を制御し、待ち客に対して案内を行う。
【００１４】
図２は本発明の一実施形態によるかご位置表示装置の表示例を示す説明図、図３は本発明の一実施形態によるかご位置表示装置の他の表示例を示す説明図である。
【００１５】
図２及び図３において、エレベーターの乗りかご、例えば乗りかご４１内には、その出入り口近傍に、エレベーター乗客が行きたい階床を登録する行先階登録釦５１や、例えば液晶ディスプレイからなり、乗りかご４１の現在階床位置（以下、かご位置と呼ぶ）を案内するかご位置表示手段６１を備えたかご内操作盤７１が設置されている。ここで、図２の６１−１は液晶ディスプレイによる乗りかご上昇時の表示例を示し、図３の６１−２は液晶ディスプレイによる乗りかご下降時の表示例を示す。即ち、乗りかご４１の運転方向が上昇であるとともに、乗りかご４１のかご位置が２階床である場合、図２の表示例６１−１に示すように、運転方向を液晶ディスプレイの上部に表示し、かご位置を液晶ディスプレイの下部に表示する。また、乗りかご４１の運転方向が下降であるとともに、乗りかご４１のかご位置が５階床である場合、図３の表示例６１−２に示すように、かご位置を液晶ディスプレイの上部に表示し、運転方向を液晶ディスプレイの下部に表示する。
【００１６】
図４は本発明の一実施形態によるかご位置表示装置に表示する運転方向の表示制御を説明するフローチャートである。
【００１７】
図４において、ｓ３１０の処理にて、エレベーターの乗りかごが走行中であるかを判定し、停止中である場合にはｓ３１５の処理に進み、走行中である場合にはｓ３５５の処理へ進む。ｓ３１５の処理では、エレベーターの方向性が上方向であるかを判定し、上方向である場合は、ｓ３２０の処理に進み、運転方向表示は上方向とし、ｓ３２５にて表示エリアの上部に運転方向、下部にかご位置の配置として液晶ディスプレイに表示を行い、本ルーチンを終了する。また、前述したｓ３１５の処理にて、エレベーターの方向性が上方向でない場合には、ｓ３３０の処理へ進む。ｓ３３０の処理では、エレベーターの方向性が下方向であるかを判定し、下方向である場合は、ｓ３４５の処理に進み、運転方向表示は下方向とし、ｓ３５０にて表示エリアの上部にかご位置、下部に運転方向の配置として液晶ディスプレイに表示を行い、本ルーチンを終了する。さらに、前述したｓ３３０の処理にて、エレベーターの方向性が下方向でない場合には、ｓ３３５の処理に進み運転方向表示を消去し、ｓ３４０にて中央部にかご位置表示を行い、本ルーチンを終了する。
【００１８】
一方、前述したｓ３５５の処理では、エレベーターの方向性が上方向であるかを判定し、上方向である場合にはｓ３８５の処理に進み運転方向表示を上方向でスクロール表示し、ｓ３９０にて表示エリアの上部に運転方向、下部にかご位置の配置として液晶ディスプレイに表示を行い、本ルーチンを終了する。さらに、前述したｓ３５５の処理にて、エレベーターの方向性が上でない場合には、ｓ３６０の処理に進み、エレベーターの方向性が下方向であるかを判定する。このｓ３６０の処理で方向性が下方向の場合には、ｓ３６５の処理へ進み、運転方向表示を下方向でスクロール表示し、ｓ３７０にて表示エリアの上部にかご位置、下部に運転方向の配置として液晶ディスプレイに表示を行い、本ルーチンを終了する。また、前述したｓ３６０の処理にて、エレベーターの方向性が下方向でない場合には、ｓ３７５の処理に進み運転方向を消去し、中央部にかご位置表示を行い、本ルーチンを終了する。
【００１９】
本実施形態によれば、かご位置表示手段６１〜６３による現在階床位置、即ちかご位置及び運転方向の表示位置を、乗りかご４１〜４３の動作に合わせて変更することで、表示を利用者が一般的にもつエレベーターの動作イメージに合致したものとし、利用者は視覚から入った情報をより迅速に把握することができる。これによって、エレベーターの利便性の向上を図ることができる。また、現在階床位置及び運転方向の表示位置を入れ換えることで本発明の目的を達成するものであることから、必要とする表示領域を従来のものと同等以下に抑えることができる。
【図面の簡単な説明】
【００２０】
【図１】本発明の一実施形態を示すエレベーターの全体構成図である。
【図２】本発明の一実施形態によるかご位置表示装置の表示例を示す説明図である。
【図３】本発明の一実施形態によるかご位置表示装置の他の表示例を示す説明図である。
【図４】本発明の一実施形態によるかご位置表示装置に表示する運転方向の表示制御を説明するフローチャートである。
【符号の説明】
【００２１】
１  エレベーター制御装置
２  群管理制御手段
３１〜３３  号機制御手段
４１〜４３  エレベーター１〜３号機の乗りかご
５１〜５３  行先階登録釦
６１〜６３  かご位置表示手段
６１−１  かご上昇方向時のかご位置表示手段表示例
６１−２  かご下降方向時のかご位置表示手段表示例
７１  かご内操作盤
８１、８２  乗場呼び釦
９１〜９３  ホールランタン（予約灯）
【図１】
0005081724.tif 000002
【図２】
0005081724.tif 000003
【図３】
0005081724.tif 000004
【図４】
0005081724.tif 000005